【手続補正書】
【提出日】平成16年4月26日(2004.4.26)
【手続補正１】
【補正対象書類名】明細書
【補正対象項目名】特許請求の範囲
【補正方法】変更
【補正の内容】
【特許請求の範囲】
【請求項１】
動画の撮影と共に、静止画の撮影が可能とされたカメラ一体型ビデオレコーダにおいて、
カメラの撮影方向の移動を検出する検出手段と、
上記カメラによって撮影された１または複数の上記フィールド画像を記録媒体に対して記録する記録手段と、
上記検出手段の検出結果に基づき上記移動の量を累積する累積手段と
を備え、
上記累積手段による累積結果が予め設定された値を越えたら、上記検出手段の検出結果に基づき上記カメラの静止を検出し、該静止が検出されたら上記記録手段による記録を自動的に行なうと共に、上記累積結果をリセットすることを特徴とするカメラ一体型ビデオレコーダ。
【請求項２】
請求項１に記載のカメラ一体型ビデオレコーダにおいて、
上記撮影手段から出力された上記フィールド画像の動き検出を行なう動き検出手段と、
上記動き検出手段による動き検出結果を用いて上記フィールド画像の圧縮符号化を行なう圧縮符号化手段と
をさらに備え、
上記検出手段は、上記動き検出手段による動き検出結果に基づき上記カメラの移動を検出することを特徴とするカメラ一体型ビデオレコーダ。
【請求項３】
請求項１に記載のカメラ一体型ビデオレコーダにおいて、
上記撮影手段から出力された上記フィールド画像の動き検出を行なう動き検出手段と、
上記動き検出手段による動き検出結果を用いて上記フィールド画像の圧縮符号化を行なう圧縮符号化手段と
をさらに備え、
上記累積手段は、上記動き検出手段による動き検出結果を毎フィールド累積して、上記移動の量の累積となすことを特徴とするカメラ一体型ビデオレコーダ。
【請求項４】
請求項１に記載のカメラ一体型ビデオレコーダにおいて、
角速度センサをさらに備え、
上記検出手段は、上記角速度センサによる角速度検出結果に基づき上記カメラの移動を検出することを特徴とするカメラ一体型ビデオレコーダ。
【請求項５】
請求項１に記載のカメラ一体型ビデオレコーダにおいて、
角速度センサをさらに備え、
上記累積手段は、上記角速度センサによる角速度検出結果を毎フィールド累積して、上記移動の量の累積となすことを特徴とするカメラ一体型ビデオレコーダ。
【請求項６】
請求項１に記載のカメラ一体型ビデオレコーダにおいて、
上記移動の量をフィールド毎に順次比較する移動量比較手段と、
上記カメラによって撮影された、上記移動量比較手段の比較結果に基づき、上記移動の量がより小さい上記フィールド画像を記憶するメモリ手段と、
所定の時間を設定することができるタイマと
をさらに備え、
上記検出手段によって上記移動を検出した際に、上記タイマに設定された上記所定の時間を経過しても上記カメラが静止したとされない場合、上記記録手段は、上記メモリ手段に記憶された、上記移動の量がより小さい上記フィールド画像を上記記録するようにしたことを特徴とするカメラ一体型ビデオレコーダ。
【請求項７】
請求項１に記載のカメラ一体型ビデオレコーダにおいて、
上記検出手段の検出結果に基づき上記カメラが静止しているとされたときに、その旨撮影者に通知するようにしたことを特徴とするカメラ一体型ビデオレコーダ。
【請求項８】
請求項７に記載のカメラ一体型ビデオレコーダにおいて、
上記通知は、ビューファインダ内に対して所定のメッセージを表示することによって行なうことを特徴とするカメラ一体型ビデオレコーダ。
【請求項９】
請求項７に記載のカメラ一体型ビデオレコーダにおいて、
上記通知は、音によって行なわれることを特徴とするカメラ一体型ビデオレコーダ。
【請求項１０】
重複した領域を撮影することで１枚の静止画を得るようにした撮影方法において、
カメラの撮影方向の移動を検出する検出のステップと、
上記カメラによって撮影された１または複数の上記フィールド画像を記録媒体に対して記録する記録のステップと、
上記検出のステップによる検出結果に基づき上記移動の量を累積する累積のステップと
を備え、
上記累積のステップによる累積結果が予め設定された値を越えたら、上記検出のステップの検出結果に基づき上記カメラの静止を検出し、該静止が検出されたら上記記録のステップによる記録を自動的に行なうと共に、上記累積結果をリセットすることを特徴とする撮影方法。
【請求項１１】
動画の撮影と共に、静止画の撮影が可能とされたカメラ一体型ビデオレコーダにおいて、
カメラの撮影方向の移動を検出する検出手段と、
上記検出手段の検出結果に基づき上記カメラが静止しているとされたときに、上記カメラによって撮影された１または複数の上記フィールド画像を記録媒体に対して記録する記録手段と、
上記検出手段の検出結果に基づき上記移動の量を累積する累積手段と
を備え、
上記累積手段による累積結果が予め設定された値を越えたら、上記記録手段による記録を自動的に行なうと共に、上記累積結果をリセットすることを特徴とするカメラ一体型ビデオレコーダ。
【請求項１２】
請求項１１に記載のカメラ一体型ビデオレコーダにおいて、
上記撮影手段から出力された上記フィールド画像の動き検出を行なう動き検出手段と、
上記動き検出手段による動き検出結果を用いて上記フィールド画像の圧縮符号化を行なう圧縮符号化手段と
をさらに備え、
上記検出手段は、上記動き検出手段による動き検出結果に基づき上記カメラの移動を検出することを特徴とするカメラ一体型ビデオレコーダ。
【請求項１３】
請求項１１に記載のカメラ一体型ビデオレコーダにおいて、
上記撮影手段から出力された上記フィールド画像の動き検出を行なう動き検出手段と、
上記動き検出手段による動き検出結果を用いて上記フィールド画像の圧縮符号化を行なう圧縮符号化手段と
をさらに備え、
上記累積手段は、上記動き検出手段による動き検出結果を毎フィールド累積して、上記移動の量の累積となすことを特徴とするカメラ一体型ビデオレコーダ。
【請求項１４】
請求項１１に記載のカメラ一体型ビデオレコーダにおいて、
角速度センサをさらに備え、
上記検出手段は、上記角速度センサによる角速度検出結果に基づき上記カメラの移動を検出することを特徴とするカメラ一体型ビデオレコーダ。
【請求項１５】
請求項１１に記載のカメラ一体型ビデオレコーダにおいて、
角速度センサをさらに備え、
上記累積手段は、上記角速度センサによる角速度検出結果を毎フィールド累積して、上記移動の量の累積となすことを特徴とするカメラ一体型ビデオレコーダ。
【請求項１６】
請求項１１に記載のカメラ一体型ビデオレコーダにおいて、
上記移動の量をフィールド毎に順次比較する移動量比較手段と、
上記カメラによって撮影された、上記移動量比較手段の比較結果に基づき、上記移動の量がより小さい上記フィールド画像を記憶するメモリ手段と、
所定の時間を設定することができるタイマと
をさらに備え、
上記検出手段によって上記移動を検出した際に、上記タイマに設定された上記所定の時間を経過しても上記カメラが静止したとされない場合、上記記録手段は、上記メモリ手段に記憶された、上記移動の量がより小さい上記フィールド画像を上記記録するようにしたことを特徴とするカメラ一体型ビデオレコーダ。
【請求項１７】
請求項１１に記載のカメラ一体型ビデオレコーダにおいて、
上記検出手段の検出結果に基づき上記カメラが静止しているとされたときに、その旨撮影者に通知するようにしたことを特徴とするカメラ一体型ビデオレコーダ。
【請求項１８】
請求項１７に記載のカメラ一体型ビデオレコーダにおいて、
上記通知は、ビューファインダ内に対して所定のメッセージを表示することによって行なうことを特徴とするカメラ一体型ビデオレコーダ。
【請求項１９】
請求項１７に記載のカメラ一体型ビデオレコーダにおいて、
上記通知は、音によって行なわれることを特徴とするカメラ一体型ビデオレコーダ。
【請求項２０】
重複した領域を撮影することで１枚の静止画を得るようにした撮影方法において、
カメラの撮影方向の移動を検出する検出のステップと、
上記検出のステップによる検出結果に基づき上記カメラが静止しているとされたときに、上記カメラによって撮影された１または複数の上記フィールド画像を記録媒体に対して記録する記録のステップと、
上記検出のステップによる検出結果に基づき上記移動の量を累積する累積のステップと
を備え、
上記累積のステップによる累積結果が予め設定された値を越えたら、上記記録のステップによる記録を自動的に行なうと共に、上記累積結果をリセットすることを特徴とする撮影方法。
【手続補正２】
【補正対象書類名】明細書
【補正対象項目名】００１６
【補正方法】変更
【補正の内容】
【００１６】
また、この発明は、上述した課題を解決するために、重複した領域を撮影することで１枚の静止画を得るようにした撮影方法において、カメラの撮影方向の移動を検出する検出のステップと、カメラによって撮影された１または複数のフィールド画像を記録媒体に対して記録する記録のステップと、検出のステップによる検出結果に基づき移動の量を累積する累積のステップとを備え、累積のステップによる累積結果が予め設定された値を越えたら、検出のステップの検出結果に基づき上記カメラの静止を検出し、該静止が検出されたら記録のステップによる記録を自動的に行なうと共に、累積結果をリセットすることを特徴とする撮影方法である。
また、この発明は、動画の撮影と共に、静止画の撮影が可能とされたカメラ一体型ビデオレコーダにおいて、カメラの撮影方向の移動を検出する検出手段と、上記検出手段の検出結果に基づき上記カメラが静止しているとされたときに、上記カメラによって撮影された１または複数の上記フィールド画像を記録媒体に対して記録する記録手段と、上記検出手段の検出結果に基づき上記移動の量を累積する累積手段とを備え、上記累積手段による累積結果が予め設定された値を越えたら、上記記録手段による記録を自動的に行なうと共に、上記累積結果をリセットすることを特徴とするカメラ一体型ビデオレコーダである。
また、この発明は、重複した領域を撮影することで１枚の静止画を得るようにした撮影方法において、カメラの撮影方向の移動を検出する検出のステップと、上記検出のステップによる検出結果に基づき上記カメラが静止しているとされたときに、上記カメラによって撮影された１または複数の上記フィールド画像を記録媒体に対して記録する記録のステップと、上記検出のステップによる検出結果に基づき上記移動の量を累積する累積のステップとを備え、上記累積のステップによる累積結果が予め設定された値を越えたら、上記記録のステップによる記録を自動的に行なうと共に、上記累積結果をリセットすることを特徴とする撮影方法である。